(57)【要約】【課題】対象物の外観が変更されても変更前と同じ情報が機器に表示可能な情報表示システムを提供する。【解決手段】端末機器２０と端末機器２０と通信可能なサーバ３０とを具備し、端末機器２０は、制御部２６と、全体または一部が透明または半透明に形成されている対象物内に設けられた識別子１２を撮影する撮影部２２と、識別子１２と関連付けられ対象物に関する固有情報を表示させる表示部２４とを有し、サーバ３０は、識別子記憶部３２と、対象物固有情報記憶部３４と、識別子１２から識別子１２に関する情報を認識する認識部３６と、固有情報を特定する特定部３８とを有し、制御部２６は撮影部２２で撮影された識別子１２をサーバ３０に送信し、サーバ３０は特定部３８で特定された固有情報を対象物固有情報記憶部３４より読み出して端末機器２０に送信し、制御部２６は表示部２４に表示させる。【選択図】図１
2020064109.tif 000002
【特許請求の範囲】
【請求項１】
端末機器と、
該端末機器と通信可能なサーバと、を具備し、
前記端末機器は、
制御部と、
全体または一部が透明または半透明に形成されている対象物内に設けられた識別子を撮影する撮影部と、
前記識別子と関連付けられ、前記対象物に関する固有情報を表示させる表示部と、を有し、
前記サーバは、
前記識別子に関する情報を記憶する識別子記憶部と、
前記固有情報を記憶する対象物固有情報記憶部と、
前記撮影部によって撮影された前記識別子から前記識別子に関する情報を認識する認識部と、
前記認識部で認識された前記識別子に基づいて前記固有情報を特定する特定部と、を有し、
前記制御部は、前記撮影部で撮影された前記識別子を前記サーバに送信し、前記サーバは、前記特定部で特定された前記固有情報を前記対象物固有情報記憶部より読み出して前記端末機器に送信し、前記制御部は、前記表示部に表示させることを特徴とする情報表示システム。
【請求項２】
前記対象物が三次元プリンタにより造形された造形物であることを特徴とする請求項１に記載の情報表示システム。
【請求項３】
前記識別子に関する情報が、前記識別子の形状に関する情報または前記識別子の表面における文様に関する情報であることを特徴とする請求項１または請求項２に記載の情報表示システム。
【請求項４】
前記制御部は、前記表示部に、前記撮影部で撮影された画像と前記固有情報とを重ねて表示させることを特徴とする請求項１から請求項３のいずれか一項に記載の情報表示システム。
【請求項５】
前記識別子記憶部は、異なる複数の識別子を重ね合わせて撮影された識別子を、異なる複数の識別子に関する情報とは別の識別子に関する情報として記憶しており、前記制御部は、異なる複数の識別子を重ね合わせて撮影された識別子を前記サーバに送信し、前記認識部は、異なる複数の識別子を重ね合わせて撮影された識別子を別の識別子として認識し、前記サーバは、別の固有情報を前記対象物固有情報記憶部より読み出し、前記表示部に表示させることを特徴とする請求項１から請求項４のいずれか一項に記載の情報表示システム。
【請求項６】
前記端末機器が、タブレット型コンピュータ、スマートフォン、ノートパソコン、ウェアラブル端末から選ばれることを特徴とする請求項１から請求項５のいずれか一項に記載の情報表示システム。
【発明の詳細な説明】
【技術分野】
【０００１】
本発明は、機器で対象物を撮影して情報を表示させる情報表示システムに関する。
【背景技術】
【０００２】
商品全体を撮影し、撮影画像から商品を特定する情報通信端末、商品精算システム、商品特定方法が、特許文献１：特開２０１７−２２０１４３号公報に記載されている。車両の外観やナンバープレートの文字を認識して認識された情報とデータベースに登録された捜索対象の外観情報や車両番号とを照合する車両照合装置が、特許文献２：特開２００９−２４５３８５号公報に記載されている。
【先行技術文献】
【特許文献】
【０００３】
【特許文献１】特開２０１７−２２０１４３号公報
【特許文献２】特開２００９−２４５３８５号公報
【発明の概要】
【発明が解決しようとする課題】
【０００４】
引用文献に記載されているような、製品の外観を撮影して認識する場合、認識される商品や車両が同一であっても一部が破損すると、破損前とは異なる外観であるとして破損前の製品と同一ではないと機器に認識される恐れがある。また、製品自体の外観を改変、改良した場合でも同一ではないと機器に認識される恐れがある。また、認識される複数の商品や車両の外観が同一であっても、それぞれ異なる個体として機器に認識させたい場合、製品の外観だけで認識すると、同一の個体として認識されてしまう。これらのような外観で対象物を機器で撮影して認識させる場合、必要な対象物の情報が機器に表示されないという課題がある。
【０００５】
そこで本発明は上記課題を解決するためになされたもので、その目的とするところは、対象物の外観が変更されても変更前と同じ情報が機器に表示可能な情報表示システムを提供することにある。
【課題を解決するための手段】
【０００６】
上記の目的を達成するため、本発明の情報表示システムは次の構成を備える。すなわち本発明は、端末機器と、該端末機器と通信可能なサーバと、を具備し、前記端末機器は、制御部と、全体または一部が透明または半透明に形成されている対象物内に設けられた識別子を撮影する撮影部と、前記識別子と関連付けられ、前記対象物に関する固有情報を表示させる表示部と、を有し、前記サーバは、前記識別子に関する情報を記憶する識別子記憶部と、前記固有情報を記憶する対象物固有情報記憶部と、前記撮影部によって撮影された前記識別子から前記識別子に関する情報を認識する認識部と、前記認識部で認識された前記識別子に基づいて前記固有情報を特定する特定部と、を有し、前記制御部は、前記撮影部で撮影された前記識別子を前記サーバに送信し、前記サーバは、前記特定部で特定された前記固有情報を前記対象物固有情報記憶部より読み出して前記端末機器に送信し、前記制御部は、前記表示部に表示させることを特徴とする。この構成によれば、対象物内に識別子が設けられているので、外観が変更されても識別子には影響を与えないので、変更前と同じ情報が機器の表示部に表示できる。
【０００７】
また、本発明において、前記対象物が三次元プリンタにより造形された造形物である。これによれば、識別子そのものを三次元プリンタで造形し、対象物と一体になっている識別子が埋め込まれた造形物を造形することができる。
【０００８】
また、本発明において、前記識別子に関する情報が、前記識別子の形状に関する情報または前記識別子の表面における文様に関する情報であってもよい。様々な形状、文様から成る識別子により、同一形状、同一文様とならず、個々の識別子を区別することができる。
【０００９】
また、本発明において、前記制御部は、前記表示部に、前記撮影部で撮影された画像と前記固有情報とを重ねて表示させてもよい。これによれば、撮影した画像に固有情報を重ねた拡張現実によって情報を表示部に表示させることができる。
【００１０】
また、本発明において、前記識別子記憶部は、異なる複数の識別子を重ね合わせて撮影された識別子を、異なる複数の識別子に関する情報とは別の識別子に関する情報として記憶しており、前記制御部は、異なる複数の識別子を重ね合わせて撮影された識別子を前記サーバに送信し、前記認識部は、異なる複数の識別子を重ね合わせて撮影された識別子を別の識別子として認識し、前記サーバは、別の固有情報を前記サーバより読み出し、前記表示部に表示させてもよい。これによれば、重ねた状態で撮影部で撮影し、新たな識別子として認識させるので、数多くの識別子が得られる。
【００１１】
また、本発明において、前記端末機器が、タブレット型コンピュータ、スマートフォン、ノートパソコン、ウェアラブル端末から選ばれる。
【発明の効果】
【００１２】
本発明に係る情報表示システムによれば、対象物の外観が変更されても変更前と同じ情報が機器に表示可能である。
【図面の簡単な説明】
【００１３】
【図１】本発明の実施形態に係る情報表示システム１０の一例を示す説明図である。
【図２】識別子１２の一例を示す説明図である。
【図３】別の固有情報として、識別子１２Ａと識別子１２Ｂを重ね合わせた識別子１２Ｃに関連付けられ、記憶されている対象物固有情報記憶部３４の説明図である。
【図４】識別子１２の別の例である。
【図５】本実施形態の情報表示システム１０を対象物としてルアーに適用した場合である。
【発明を実施するための形態】
【００１４】
以下、本発明の実施形態に係る情報システムについて、添付図面を参照しながら説明する。図１に本発明の実施形態に係る情報表示システム１０の一例を説明する説明図を示す。図２に識別子１２の全体外観の一例を示す。
【００１５】
本実施形態の情報表示システム１０は、端末機器２０と、サーバ３０とを具備する。他に、サーバ３０に対象物の固有情報などを入力して、サーバ３０に登録するための情報入力端末４０を具備してもよい。端末機器２０と、サーバ３０と、情報入力端末４０とは、それぞれ互いに通信回線を通じて通信可能に接続されていて情報を送受信できる。そして、操作者が端末機器２０を操作し、対象物を撮影して、対象物の固有情報を端末機器２０の表示部２４に表示させることができる。なお、通信回線は限定されるものではなく、また無線、有線のどちらでもよく、一例として、インターネット回線を通じてデータが送受信される。
【００１６】
本実施形態の情報表示システム１０の端末機器２０は、映像を撮影することができる撮影部２２として撮影機能（カメラ機能）を有している。端末機器２０としては、タブレット型コンピュータ、スマートフォン、ノートパソコン、ウェアラブル端末などがあり、端末機器２０の中にインストールされたソフトウェアによって動作する。なお、図１には、撮影部２２が端末機器２０と内蔵されたものを含む一体に設けられているものとして示しているが、別体に設けられたカメラを用いてもよい。
【００１７】
また、端末機器２０は、撮影部２２で撮影された識別子情報をサーバ３０に送信したり、撮影部２２で撮影した画像や固有情報を表示させたりする制御部２６を有している。制御部２６は、中央処理装置（ＣＰＵ）、メモリなどから構成され、予め記憶されたプログラムによって動作する。
【００１８】
本実施形態の情報表示システム１０において、識別子１２は対象物の表面ではなく対象物内に設けられる。対象物は、少なくとも表面が透過性を有する材質から形成されて成るものであり、対象物の全体または一部が透明または半透明に形成されている。識別子１２は、透過性を有する材質から成る箇所に埋め込まれる。そして、透過性の材質を通して表面から識別子１２を視認することができ、端末機器２０の撮影部２２を用いて対象物内に埋め込まれた識別子１２の全体を撮影することができる。識別子１２が対象物内に埋め込まれていることで、対象物の外観が破損しても、埋め込まれた識別子１２に影響を与えないので、同じ識別子１２による固有情報を端末機器２０に表示させることができる。また、形状の異なる対象物であったとしても、同一の識別子１２が埋め込まれていれば、外観に関わらず同じ識別子１２による固有情報を端末機器２０に表示させることができる。反対に、形状が同一の対象物であったとしても、異なる識別子１２が埋め込まれていれば、異なる識別子１２によるそれぞれ別の固有情報を端末機器２０に表示させることができる。
【００１９】
本実施形態の情報表示システム１０では、対象物内に埋め込まれた識別子１２の全体を撮影するだけで対象物に関する固有情報を端末機器２０に表示させることができるので、対象物全体を撮影して、対象物の形状を把握するする必要がない。さらに、対象物が存在する場所を示す位置情報も必要ない。
【００２０】
サーバ３０は、識別子１２に関する情報を記憶する識別子記憶部３２と、識別子１２に関連付けられた対象物に関する固有情報を記憶する対象物固有情報記憶部３４とを有している。識別子１２に関する情報（以下、識別子情報）には、項目分けされたデータが含まれ、識別子１２自体の形状の情報（以下、形状情報）、識別子１２の表面における文様の情報（以下、文様情報）、識別子１２の色の情報（以下、色情報）などが含まれる。対象物固有情報記憶部３４には、識別子１２に関連付けられて対象物に関する固有情報が記憶されている。固有情報には項目分けされたデータが含まれ、記憶されている。識別子記憶部３２、対象物固有情報記憶部３４は、ハードディスクなどの記憶装置で構成され、記憶された情報は読み出し可能となっている。固有情報としては、文字による情報の他に、画像、画像を三次元グラフィックス化して立体的に表示させることもできる。
【００２１】
識別子情報および対象物に関する固有情報は、情報入力端末４０によって入力される。また、情報入力端末４０は、端末機器２０と一体であり、文字の入力、画像の撮影が可能なタブレット型コンピュータ、スマートフォン、ノートパソコン、ウェアラブル端末などであってもよく、端末機器２０と別体でもよい。ウェアラブル端末としては、メガネ型、時計型の端末がある。固有情報は、キーボードやタッチパネルなどにより文字入力される。このとき、ログインされた端末機器２０と関連付けて識別した識別子情報をサーバ３０に記憶してもよい。
【００２２】
サーバ３０は、撮影部２２によって撮影された識別子１２から識別子情報である形状情報、文様情報、色情報などを認識する認識部３６を有している。サーバ３０は、認識部３６で認識された識別子情報から対象物に関する固有情報を特定する特定部３８を有している。認識部３６と特定部３８は、具体的には。中央処理装置（ＣＰＵ）、メモリなどから構成される。
【００２３】
端末機器２０に固有情報を表示させる処理について説明する。操作者は端末機器２０を操作し、端末機器２０にあるソフトウェアを起動して対象物内に設けられた識別子１２を撮影部２２で撮影する。そして、端末機器２０は、制御部２６によって、撮影された識別子１２を読み取り、形状情報や文様情報などを含む識別子情報を、通信回線を通じてサーバ３０へ送信する。このとき、端末機器２０からサーバ３０へのログインを行う処理をしてもよい。
【００２４】
サーバ３０は、端末機器２０から送信された識別子情報を受信した場合に、認識部３６において受信した形状情報、文様情報を含む識別子情報を認識して識別する。そして、認識部３６は、識別子記憶部３２に記憶された識別子情報の中から、認識された識別子情報に適合する識別子情報を抽出する。
【００２５】
そして、特定部３８は、識別された識別子情報に関する固有情報を特定し、特定した識別子情報に関連付けられた対象物に関する固有情報を対象物固有情報記憶部３４から抽出する。
【００２６】
サーバ３０は、特定部３８が対象物に関する固有情報を対象物固有情報記憶部３４から抽出した後、端末機器２０に固有情報を送信する。端末機器２０の制御部２６は、受信した固有情報を端末機器２０の表示部２４に表示させる。このとき、表示部２４には、撮影部２２で撮影した画像を表示した上で受信した固有情報を表示してもよい。すなわち、撮影した画像に固有情報を重ねた拡張現実によって情報を表示部２４に表示させる方法を採用してもよい。拡張現実による情報の表示方法は、一般的な方法によるものを採用することができる。
【００２７】
また、対象物は、三次元プリンタにより造形された造形物であってもよい。このとき、三次元プリンタにより対象物が造形される途中で識別子１２が埋め込まれ、識別子１２が埋め込まれた後に対象物の造形が完成するようになる。
【００２８】
また、一例として図２に示す識別子１２は独自の記号のようなものであり、図２Ａ、図２Ｄは、数字のような形状のもの、図２Ｂは花のような形状を有する文様である。識別子１２そのものを物として認識し、コード認識とは異なる。その他、幾何学模様であってもよい。これらの様々な識別子１２は組み合わせることができる。同一文様、形状の識別子１２を大量生産することには不向きであるので、特徴的であり、または他にはないような対象物のような場合に適している。
【００２９】
組み合わせの一例として、異なる複数の識別子１２の重ね合わせがあり、異なる複数の識別子１２を重ね合わせることで、複数の識別子１２とは異なる新たな識別子１２として認識させてもよい。そして、識別子記憶部３２は、重ね合わせた複数の識別子１２の形状を別の識別子１２として、異なる複数の識別子１２とは別の識別子１２として記憶している。対象物固有情報記憶部３４には、別の識別子１２として関連付けられ、異なる複数の識別子１２とは対象物に関する別の固有情報として記憶している。または、別の対象物に関する固有情報として記憶してもよい。図３に、識別子Ａ、識別子Ｂに関連付けられた固有情報とは別の固有情報として、識別子Ａと識別子Ｂを重ね合わせた識別子Ｃに関連付けられ、記憶されている対象物固有情報記憶部３４を示す。
【００３０】
異なる複数の識別子１２を重ね合わせて撮影され、サーバ３０に送信された識別子情報より、認識部３６は撮影された識別子１２を別の識別子１２として認識し、サーバ３０は、別の固有情報を対象物固有情報記憶部３４より読み出し、端末機器２０の表示部２４に表示させる。
【００３１】
識別子１２自体は、透明や半透明にしてもよく、図２Ａと図２Ｂを重ねた図２Ｃを新たな識別子１２として認識されるようにしてもよい。この場合、複数の識別子１２を重ね合わせる位置を定めるため、それぞれの識別子１２に目印を付け、その目印が重なる位置で撮影されるように撮影する。
【００３２】
図４に別の識別子１２の例を示す。「ＡＢＣＤＥＦＧ  ＸＺ」という文字の識別子１２が記載または埋め込まれている造形物ａ５０と、「１２３４」という数字の識別子１２が記載または埋め込まれた造形物ｂ５２とが、図４Ａに示されている。図４Ｂ、図４Ｃは造形物ａ５０と造形物ｂ５２を上（図４Ａの白抜き矢印の方向）から見た拡大図である。図４Ｂは、造形物ｂ５２が造形物ａ５０に挿入される前であり、図４Ｃは、造形物ｂ５２が造形物ａ５０に挿入された後である。造形物ａ５０と造形物ｂ５２は透明またはそれに近い半透明である。造形物ａ５０に対して、「ＡＢＣＤＥＦＧ  ＸＺ」という識別子１２を認識することで、造形物ａ５０の固有情報を端末機器２０に表示させることができる。また、造形物ｂ５２に対して「１２３４」という識別子１２を認識することで、造形物ｂ５２の固有情報を端末機器２０に表示させることができる。造形物ｂ挿入口５４から造形物ｂ５２を挿入すると、図４Ｃに示す「ＡＢＣＤＥＦＧ１２３４ＸＺ」という１つの識別子１２として、別の固有情報を端末機器２０に表示させることができる。この場合、「ＡＢＣＤＥＦＧ  ＸＺ」を基本として、挿入される造形物に設けられた識別子の文様（文字）種類、形状、色によって、それぞれ異なる認識及びそれに伴う表示が可能である。また、文様（文字）の大きさは限定されず、造形物ａ５０の識別子１２と造形物ｂ５２の識別子１２の上下方向に対する位置関係も限定されない。このようにすることで、容易に複数のそれぞれ異なる固有情報を表示させることができる。
【００３３】
また、対象物の一例としてルアー５６があり、本実施形態の情報表示システム１０に適用することができる。図５にルアー５６を示し、本実施形態の情報表示システム１０をルアー５６に適用し、ルアー５６内に識別子１２を設けた場合を示す。ルアー５６本体の一部は透明または半透明部材から成り、識別子１２が含まれるように、ルアー５６を端末機器２０で撮影することができる。また、ルアー５６の場合、撮影される識別子１２により、ルアー５６の釣果記録が表示されるようにしてもよい。また、釣った魚の画像、またこの画像を三次元グラフィックス化して立体的に表示させることもできる。ルアー５６に識別子１２が設けられていることにより、当該ルアー５６で釣った魚の数や大きさの記録情報を、釣り場や自宅でも見ることができ、確認することができる。そして、拡張現実表示と合わせれば、過去に釣った魚と現在に釣った魚の大きさなどの情報を釣ったすぐ後でも比較することができる。
【００３４】
また、対象物として、看板がある。識別子１２が埋め込まれた透明または半透明に形成された部材を看板に付ける。看板の表面が塗り替えられたり張り替えられたりして表示が変更されたとしても、識別子１２が同一であり、その識別子１２を撮影すれば、看板の変更前後で表示される固有情報は変わらない。
【００３５】
また、対象物として、商品に対する試作品がある。試作品が削られたり付け加えられたりして、試作段階から製品に至るまでの形状に変更があった場合、従来は外観形状に基づいて外観形状のデータを取り直して固有情報に関連付ける必要があった。しかし、本実施形態の情報表示システム１０を試作品に適用すると、外観形状が変更されても、データを取り直さずにそのまま固有情報を引き継ぐことができる。
【００３６】
その他、対象物として、エンブレム、記念品、名入れ品、フィギュア、神棚、神輿、各種パーツ類（プラモデル・ラジコン・車・バイク・メガネ）、玩具類、各種オーダーメイド品（カバー類・ケース・ボタン・キャラクター商品・ストラップ）、アクセサリー、建築モデル、ジオラマ、治具、拡大品に適用できる。また、識別子１２の大きさは限定されないので、端末機器２０の撮影部２２で撮影できる大きさであればよく、対象物の外観全体を撮影する必要はないので、対象物の大きさは限定されない。
【符号の説明】
【００３７】
１０  情報表示システム
１２  識別子
２０  端末機器
２２  撮影部
２４  表示部
２６  制御部
３０  サーバ
３２  識別子記憶部
３４  対象物固有情報記憶部
３６  認識部
３８  特定部
４０  情報入力端末
５０  造形物ａ
５２  造形物ｂ
５４  造形物ｂ挿入口
５６  ルアー
【図１】
2020064109.tif 000003
【図２】
2020064109.tif 000004
【図３】
2020064109.tif 000005
【図４】
2020064109.tif 000006
【図５】
2020064109.tif 000007